(57)【要約】【課題】電磁遮蔽効果が確実に得られるとともに外観上も優れ、更に好ましくは遮音効果などにも優れたパーティションを提供する。【解決手段】  表裏両面のうち少なくとも一面を電磁遮蔽面とする電磁シールドパーティションにおいて、該電磁シールドパーティションは、上記電磁遮蔽面４の一部を有するパネル材、縁部材などの複数のパーティション形成用主要部材２…を継ぎ合わせて形成され、これら主要部材２相互の継目では、その継目の全長に亘って、隣接するパーティション形成用主要部材２の電磁遮蔽面部分から、断面鉤形で導電性の第1、第2係合帯板20,30を、第1係合帯板20は、先端部22を外方へ屈曲させて、又第２係合帯板30は、先端部32を内方へ屈曲させて対向方向へそれぞれ突設し、これら両係合帯板20、30先端部の中側表面部分を電磁的に閉じた状態で弾性圧接させた。【選択図】  図１
2006028806.tif 000002
【特許請求の範囲】
【請求項１】
表裏両面のうち少なくとも一面を電磁遮蔽面とする電磁シールドパーティションにおいて、
該電磁シールドパーティションは、上記電磁遮蔽面４の一部を有するパネル材、縁部材などの複数のパーティション形成用主要部材２…を継ぎ合わせて形成され、これら主要部材２相互の継目では、その継目の全長に亘って、隣接するパーティション形成用主要部材２の電磁遮蔽面部分から、断面鉤形で導電性の第1、第2係合帯板20,30を、第1係合帯板20は、先端部22を外方へ屈曲させて、又第２係合帯板30は、先端部32を内方へ屈曲させて対向方向へそれぞれ突設し、これら両係合帯板20、30先端部の中側表面部分を電磁的に閉じた状態で弾性圧接させたことを特徴とする、電磁シールドパーティション。
【請求項２】
上記第1係合帯板20は、その基端部側から内方突出する段差部24を介して、外折り先端部22側の帯板部分を内側へ陥没させることで、該外折り先端部22と段差部24との間に、外方開口で上記継目方向に長い凹条溝26を形成し、該凹条溝内に弾性目地材40を挿入して、これら弾性目地材40と上記外折り先端部22との間に、第２係合帯板30の内折り先端部32を挟持させたことを特徴とする、請求項１記載の電磁シールドパーティション。
【請求項３】
相互に隣接するパーティション形成用主要部材２のうち一方部材端面より長手方向への進退自在な押圧棒46を突設して、その棒先端部を他方部材に突き当て、かつ上記押圧棒46の突出長の変更により上記両パーティション形成用主要部材の対向端面間距離を調節することで、上記第1、第2係合帯板20,30の間の先端部22,32を弾性圧接することが可能に設けたことを特徴とする、請求項１記載の電磁シールドパーティション。
【請求項４】
上記第1、第2係合帯板20,30の先端部22,32を、導電性のガスケット36を介して当接させたことを特徴とする、請求項１、請求項２又は請求項３記載の電磁シールドパーティション。
【請求項５】
上記電磁シールドパーティションの表裏両面をそれぞれ電磁遮蔽面４とし、隣接するパーティション形成用主要部材２の継目を、各部材の表側電磁遮蔽面部分から突出した第1、第2係合帯板20,30と、各部材の裏側電磁遮蔽面部分から突出した第1、第2係合帯板20,30とで２重にシールドしたことを特徴とする、請求項１、請求項２、請求項３、又は請求項４記載の電磁シールドパーティション。
【請求項６】
上記隣接するパーティション形成用主要部材２のうち一方部材の表側電磁遮蔽面部分から第1係合帯板20を、一方部材の裏側電磁遮蔽面部分から第２係合帯板30をそれぞれ突出するとともに、他方部材の表側電磁遮蔽面部分から第２係合帯板30を、他方部材の裏側電磁遮蔽面部分から第1係合帯板20を突出したことを特徴とする、請求項５記載の電磁シールドパーティション。
【請求項７】
上記パーティション形成用主要部材２を、左右側端部を接して起立させた複数のパネル材２Ａとして、これらパネル材相互の継目部分を、上記第１、第２係合帯板20、30でそれぞれシールドするとともに、上記パネル材２Ａの上下両端面又は壁面と対向する側端面の厚み方向中間部に凹溝18を形成して、該凹溝の内面へパネル材２Ａの表裏両面から凹溝18の内面へ電磁遮蔽板６を折り返し、かつこれら折返し板部６aの先端部６ｂを、上記凹溝18内に挿入し或いは該凹溝開口部に沿って付設した、導電性の天井側乃至壁側支持部材70、76に電気的に接続させたことを特徴とする、請求項５記載の電磁シールドパーティション。
【請求項８】
上記パーティション形成用主要部材２を、左右側端部を接して起立させた複数のパネル材２Ａ、及び各パネル材の下端部又は上端部に沿って付設した縁部材２Ｂとし、これらパネル材相互の継目部分、及びパネル材と縁部材との継目部分を、上記第1、第2係合帯板20,30でそれぞれシールドしたことを特徴とする請求項１乃至請求項６のいずれかに記載の電磁シールドパーティション。
【請求項９】
表裏両面に導電性の電磁遮蔽板６を有するパネル材において、
該パネル材の左右側端面12a,12aより左右方向外方へ表裏一対の上記電磁遮蔽板６をそれぞれ延長して、該一対の延長板部分のうちの一方を、断面鉤形で先端部22を外向きに折り曲げた第1係合帯板20に、他方を、断面鉤形で先端部32を内向きに折りまげた第２係合帯板30にそれぞれ形成し、
かつ上記第1係合帯板20は、その基端部側から内方突出する段差部24を介して、外折りの先端部22を有する帯板部分を内側へ陥没させることで、該外折り先端部22と段差部24との間に、外方開口で上記継目方向に長い凹条溝26を形成し、
更に上記第２係合帯板30は、内折りの先端部32と上記パネル材の側端面12ａとの間に、嵌合溝28を設けたことを特徴とする電磁シールドパーティション用パネル材。
【請求項１０】
上記電磁遮蔽板6,6を、吸音性芯材10の両側に設けた表裏一対の遮音板8,8の外側に貼着したことを特徴とする、請求項９記載の電磁シールドパーティション用パネル材。
【請求項１１】
パネル材下端面乃至上端面の厚み方向中間部に凹溝18を横設するとともに、パネル材表裏両面から上記凹溝両内面へ電磁遮蔽板６を折り返し、この折返し板部から、断面鉤形で先端部を側外方へ屈曲させた第1係合帯板20,20或いは断面鉤形で先端部を側内方へ屈曲させた第２係合帯板30、30の何れかを突出させるとともに、上記凹溝18内部から長手方向への進退自在な押圧棒46を突出して、該押圧棒46の先端部に弾性摺動子48を付設したことを特徴とする、請求項９又は請求項10記載の電磁シールドパーティション用パネル材。
【請求項１２】
請求項11記載のパネル材に使用する縁部材であって、底板両側から側板を突出してなる断面凹字形の導電性ランナー62を有し、該ランナーの左右側板から、パネル側の係合帯板の先端部とは反対方向に屈曲した先端部を有する断面鉤形状の導電性係合帯板を突出するとともに、上記ランナーの底板64に床面乃至天井面などの被取付け面への固定具66を付設したことを特徴とする、電磁シールドパーティション用縁部材。
【発明の詳細な説明】
【技術分野】
【０００１】
本発明は、電磁シールドパーティション、及び該パーティション用パネル材及び縁部材に関する。
【背景技術】
【０００２】
近年、オフィスビルの会議室内ワイヤレスマイクの混信、室外電磁ノイズによる雑音の混入や電子機器の誤動作、電波による情報漏洩などの問題が生じており、又、ＰＨＳなど構内無線電話の周波数を有効利用するために構内を区分することが要望されている。こうした問題に対処するため、建物内に電磁シールドを施したパーティションが要望されている。
【０００３】
こうした電磁シールドパーティションは、パネル材の表裏両面に電磁シールド処理を施すことが一般的である。何故なら、この種のパーティションに対しては、電磁シールド性の他に遮音性や耐火性などの複数の機能を要求されることが多く、それら他の機能を実現するために、パネル材内部の芯材などに遮音材や耐火材を使用するとすれば、パネルの外面部分だけで電磁遮蔽性能を確保しなければならないからである。しかしながら、例えば複数のパネル材を継ぎ合わせて電磁シールドパーティションを構成する場合には、各パネル材の寸法の不整や継ぎ合わせ作業が不十分であるために、その継目の一部に隙間が出来ると電磁波を完全に遮断することができない。そこで主としてパネルの継目部分をシールドするためにさまざまな試みが提案されている。
【０００４】
特許文献１のものは、隣接する電磁遮蔽パネル材の端面間に角柱形の連結材を挟持させ、該連結材の表面厚み方向中間に設けた縦溝内に、パネル材表面から延長した電磁遮蔽板を折り込み、その延長板部分の対向端部間に導電性テープを貼着している。
【０００５】
特許文献２のものは、電波吸収性の芯材の表面に金属板を貼着してなる２枚のパネル材の対向側端面に設けた対応形状の嵌合凸部と嵌合凹部とを嵌合させており、該凹部内に導電性パッキンを内装している。
【０００６】
特許文献３のものは、側縁を接する電磁遮蔽パネル材の対向端部の厚み方向中間部分に穿設した縦溝に、連結板部材の左右両側部分を固嵌めし、かつ上記対向端部の表側部分間及び裏側部分間にそれぞれ導電性弾性部材を嵌入させている。 
【０００７】
特許文献４のものは、柱と２枚のパネルとの接合部の電磁シールド構造であって、両パネル材の表裏両面から側端面側へ電磁遮蔽板を相互に接触しないように折り返し、かつ両パネル材の継目の表裏両側部分を、導電性で巾広の表裏一対の柱部材半身で挟んで、これら各半身をボルトで緊結させたものである。
【特許文献１】特開平11−324166号
【特許文献２】特開平11−247323号
【特許文献３】実開平５−20390号
【特許文献４】特開2000−27332号
【発明の開示】
【発明が解決しようとする課題】
【０００８】
特許文献１のものは、電磁遮蔽板の対向端部に接着させた導電性テープが剥がれる虞があるから、長期間に亘る電磁シールド性能を期待できない。
【０００９】
特許文献２及び特許文献３は、パネル材の凹凸状嵌合部分の寸法不整などによりその継目部分の一部に生じ得る隙間を導電性弾性材によって閉塞するものであるが、例えば長年の間に地震その他の振動により両パネル全体の間に隙間を生じた場合には電磁波の漏洩を防止できない。
【００１０】
特許文献４のものは、両パネル材の継目部分を巾広の柱部材両半身で挟持したから、シールド効果は高い反面、これら両半身で形成するシールド部分が、パネルの輪郭を大きくはみ出して嵩張ることとなり、柱設置箇所以外のパネル継目シールド構造には不向きである。
【００１１】
そこで本発明は、上記従来技術の問題点に鑑み、電磁遮蔽効果が確実に得られるとともに外観上も優れ、更に好ましくは遮音効果などにも優れたパーティションとするため、隣接するパーティション形成用主要部材の電磁遮蔽面部分の対向端部から、断面鉤形で導電性の第１、第２係合帯板を、第１係合帯板は、先端部を外方へ屈曲させて、又第２係合帯板は、先端部を内方へ屈曲させて対向方向へそれぞれ突設し、これら両係合帯板の先端部を電磁的に閉じた状態で弾性圧接させたものを提供することを目的とする。
【課題を解決するための手段】
【００１２】
第１の手段は、表裏両面のうち少なくとも一面を電磁遮蔽面とする電磁シールドパーティションにおいて、
該電磁シールドパーティションは、上記電磁遮蔽面４の一部を有するパネル材、縁部材などの複数のパーティション形成用主要部材２…を継ぎ合わせて形成され、これら主要部材２相互の継目では、その継目の全長に亘って、隣接するパーティション形成用主要部材２の電磁遮蔽面部分から、断面鉤形で導電性の第1、第2係合帯板20、30を、第1係合帯板20は、先端部22を外方へ屈曲させて、又第２係合帯板30は、先端部32を内方へ屈曲させて対向方向へそれぞれ突設し、これら両係合帯板20、30先端部の中側表面部分を電磁的に閉じた状態で弾性圧接させている。
【００１３】
ここで「電磁シールドパーティション」は、表面乃至裏面に例えば電磁遮蔽板を貼着したものとすることができる。電磁遮蔽板は、金属板、例えば亜鉛鍍鋼板などとすることができる。
【００１４】
又「パーティション形成用主要部材」とは、電磁シールドパーティションの表裏両面の一部を形成するパネル材などの板材、或いは該板材の端部に沿って付設した縁部材であって床面や天井面などの取付け面に固定して用いるもの（例えばランナー）を含むものとする。そして上述の「隣接するパーティション形成用主要部材」を、側端部を接して配列させた複数のパネル材、或いは、パネル材とそのパネル材端部に沿って付設した縁部材とし、これらパネル材の端面間、乃至パネル材と縁部材との端面間に本発明の端部シールド構造を適用することができる。
【００１５】
又、係合帯板の断面形状である「鉤形」とは、先端部を（内側乃至外側へ）断面Ｌ字形に屈折させた形状の他に、後述のガスケットを両係合帯板間に巻き込む如く先端部を曲線的に屈曲させた形状を含むものとする。
【００１６】
上記両係合帯板の先端部22、32は、直接或いは上記ガスケットなどを介して間接に圧接させることができる。これら両先端部の「弾性圧接」とは、各係合帯板自体の弾性又はガスケットなどの弾性に抗して各係合帯板を圧接させることを意味し、これにより該圧接力が多少弱まっても係合帯板の各先端部の間に隙間が生じないように設けるものとする。このため、係合帯板又はガスケットの少なくとも一方がある程度の弾性を有するものとする。係合帯板は亜鉛鍍した鋼板で形成することができる。
【００１７】
尚、各係合帯板の先端部を圧接させるための手段としては、下記第２、第３の手段に述べる弾性目地材及び押圧棒を採用することができるが、必ずしもこれらに限定されるものではない。
【００１８】
第２の手段は、上記第１の手段を有し、かつ上記第1係合帯板20は、その基端部側から内方突出する段差部24を介して、外折り先端部22側の帯板部分を内側へ陥没させることで、該外折り先端部22と段差部24との間に、外方開口で上記継目方向に長い凹条溝26を形成し、該凹条溝内に弾性目地材40を挿入して、これら弾性目地材40と上記外折り先端部22との間に、第２係合帯板30の内折り先端部32を挟持させている。
【００１９】
上記「弾性目地材」は、塩化ビニールなどのプラスチック、或いはゴムなどで形成することができる。又、段差部24の段差と、外折り先端部22の外方突出巾及び内折り先端部32の内方突出巾とは、これら両先端部を相互に係合させたときに両係合係合帯板の基部外面がほぼ面一となるように形成すると良い。
【００２０】
第３の手段は、上記第１の手段を有し、かつ相互に隣接するパーティション形成用主要部材２のうち一方部材端面より長手方向への進退自在な押圧棒46を突設して、その棒先端部を他方部材に突き当て、かつ上記押圧棒46の突出長の変更により上記両パーティション形成用主要部材の対向端面間距離を調節することで、上記第1、第2係合帯板20、30の間の先端部22、32を弾性圧接することが可能に設けている。
【００２１】
第４の手段は、上記第１の手段、第２の手段又は第３の手段を有し、かつ上記第1、第2係合帯板20、30の先端部22、32を、導電性のガスケット36を介して当接させている。
【００２２】
上記「ガスケット」は、例えば金属粉乃至金属繊維を含むシリコン或いはスポンジゴムなど弾性材料で形成することが好ましい。
【００２３】
第５の手段は、上記第１の手段、第２の手段、第３の手段、又は第４の手段を有し、かつ上記電磁シールドパーティションの表裏両面をそれぞれ電磁遮蔽面４とし、隣接するパーティション形成用主要部材２の継目を、各部材の表側電磁遮蔽面部分から突出した第1、第2係合帯板20、30と、各部材の裏側電磁遮蔽面部分から突出した第1、第2係合帯板20、30とで２重にシールドしている。
【００２４】
第６の手段は、上記第５の手段を有し、かつ上記隣接するパーティション形成用主要部材２のうち一方部材の表側電磁遮蔽面部分から第1係合帯板20を、一方部材の裏側電磁遮蔽面部分から第２係合帯板30をそれぞれ突出するとともに、他方部材の表側電磁遮蔽面部分から第２係合帯板30を、他方部材の裏側電磁遮蔽面部分から第1係合帯板20を突出している。
【００２５】
第７の手段は、上記第５の手段を有し、かつ上記パーティション形成用主要部材２を、左右側端部を接して起立させた複数のパネル材２Ａとして、これらパネル材相互の継目部分を、上記第１、第２係合帯板20、30でそれぞれシールドするとともに、上記パネル材２Ａの上下両端面又は壁面と対向する側端面の厚み方向中間部に凹溝18を形成して、該凹溝の内面へパネル材２Ａの表裏両面から凹溝18の内面へ電磁遮蔽板６を折り返し、かつこれら折返し板部６aの先端部６ｂを、上記凹溝18内に挿入し或いは該凹溝開口部に沿って付設した、導電性の天井側乃至壁側支持部材70、76に電気的に接続させている。
【００２６】
第８の手段は、上記第１の手段乃至第６の手段の何れかを有し、かつ  上記パーティション形成用主要部材２を、左右側端部を接して起立させた複数のパネル材２Ａ、及び各パネル材の下端部又は上端部に沿って付設した縁部材２Ｂとし、これらパネル材相互の継目部分、及びパネル材と縁部材との継目部分を、上記第1、第2係合帯板20、30でそれぞれシールドしている。
【００２７】
尚、上記縁部材２Ｂは、各パネル材の左右長さに対応して各パネル材ごとに設けることもできるが、縁部材を一本のランナーに形成して、該ランナーに沿って複数のパネル材が摺動自在とすることが好ましい。この場合には、それらパネル材２Ａとランナー62との間の第1、第2係合帯板20、30の各先端部22、32をスライド可能に形成するものとする。
【００２８】
第９の手段は、表裏両面に導電性の電磁遮蔽板６を有するパネル材において、
該パネル材の左右側端面12a、12aより左右方向外方へ表裏一対の上記電磁遮蔽板６をそれぞれ延長して、該一対の延長板部分のうちの一方を、断面鉤形で先端部22を外向きに折り曲げた第1係合帯板20に、他方を、断面鉤形で先端部32を内向きに折りまげた第２係合帯板30にそれぞれ形成し、
かつ上記第1係合帯板20は、その基端部側から内方突出する段差部24を介して、外折りの先端部22を有する帯板部分を内側へ陥没させることで、該外折り先端部22と段差部24との間に、外方開口で上記継目方向に長い凹条溝26を形成し、
更に上記第２係合帯板30は、内折りの先端部32と上記パネル材の側端面12ａとの間に、嵌合溝28を設けている。
【００２９】
このパネル材は、複数の構造のものを左右側端部において継ぎ合わせて電磁シールドパネルを形成するためのものであり、上記嵌合溝28は、隣接する他のパネル材２Ａの外折り先端部22を挿入するためのものである。
【００３０】
第10の手段は、上記第９の手段を有し、かつ上記電磁遮蔽板6、6を、吸音性芯材10の両側に設けた表裏一対の遮音板8、8の外側に貼着している。
【００３１】
上記吸音材としては、グラスウールやロックウールなどを用いることができ、又、遮音板８としては、石膏ボードなどを用いることができる。更に両遮音板の上下端部及び左右両端部には、ゴムなどの硬質遮音材料で形成された枠板部材（後述の端部材及び上下閉塞板）を周設することで、これら枠板部材の内側に吸音材を詰め込むとともに、音波の伝達を遮断している。
【００３２】
第11の手段は、上記第９の手段又は第10の手段を有し、かつパネル材下端面乃至上端面の厚み方向中間部に凹溝18を横設するとともに、パネル材表裏両面から上記凹溝両内面へ電磁遮蔽板６を折り返し、この折返し板部から、断面鉤形で先端部を側外方へ屈曲させた第1係合帯板20、20或いは断面鉤形で先端部を側内方へ屈曲させた第２係合帯板30、30の何れかを突出させるとともに、上記凹溝18内部から長手方向への進退自在な押圧棒46を突出して、該押圧棒46の先端部に弾性摺動子48を付設している。
【００３３】
上記押圧棒46は、上記凹溝内面への電磁遮蔽板の折返し部分の間に架設した固定板材を貫通させており、かつその貫通孔の孔縁と押圧棒の外面とにパネル材の高さ調節用の螺子溝を穿設することで垂直方向の進退が可能に設けるとよい。
【００３４】
第12の手段は、第11の手段であるパネル材に使用する縁部材であって、底板両側から側板を突出してなる断面凹字形の導電性ランナー62を有し、該ランナーの左右側板から、パネル側の係合帯板の先端部とは反対方向に屈曲した先端部を有する断面鉤形状の導電性係合帯板を突出するとともに、上記ランナー62の底板64に床面乃至天井面などの被取付け面への固定具66を付設している。
【発明の効果】
【００３５】
本発明は如上の構成であり、第１の手段に係る発明では次の効果を奏する。
○パーティション形成用主要部材2、2の間の継目を、断面鉤形で導電性の第１、第２係合帯板の先端部22、32の内側表面部分を弾性圧接したから、地震動などによって各パーティション形成用主要部材２、２を離間させる方向に外力が働いても却って上記各先端部が強く圧接されることになり、その継目部分に隙間を生ずることがない。
○断面鉤形の係合帯板20、30を相互に係合させるだけの簡単な操作で継目部分を確実にシールドすることができる。
○上記電磁遮蔽面４及び係合帯板20、30で形成されるパーティションの表裏両面部分だけで電磁遮蔽効果を担保しているから、その芯材部分の構成は自由であり、この部分に遮音材（或いは断熱材）を使用することで多機能的なパーティションとすることができる。
【００３６】
第２の手段に係る発明によれば、第1係合帯板20に形成した凹条溝26に弾性目地材40を挿入し、かつこれら弾性目地材40と外折り先端部22との間に第２係合帯板30の内折り先端部32を挿入したから、弾性目地材40の弾性力により上記外折り先端部22と内折り先端部32とを確実に圧接させて、シールド効果を高めることができる。
【００３７】
第３の手段に係る発明によれば、隣接するパーティション形成用主要部材２の一方から突設して他方に突き当てた押圧棒46の突出長の変更により上記第1、第2係合帯板20、30の間の先端部22、32を弾性圧接させてシールド効果を確実に達成することができる。
【００３８】
第４の手段に係る発明によれば、上記第1、第2係合帯板20、30の先端部22、32を、導電性のガスケット36を介して当接させたから、先端部間の隙間を確実に遮断できる。
【００３９】
第５の手段に係る発明によれば、隣接するパーティション形成用主要部材２の継目の表裏両側を上記第1、第2係合帯板20、30で２重にシールドしたから、そのシールド部からの電磁波の洩れを大幅に縮減することができる。
【００４０】
第６の手段に係る発明によれば、隣接するパーティション形成用主要部材２のうち一方部材の表側電磁遮蔽面部分から第1係合帯板20を、一方部材の裏側電磁遮蔽面部分から第２係合帯板30をそれぞれ突出するとともに、他方部材の表側電磁遮蔽面部分から第２係合帯板30を、他方部材の裏側電磁遮蔽面部分から第1係合帯板20を突出したから、そのパーティション形成用主要部材を側外方へ押し込むことで容易に取り外すことができる。
【００４１】
第７の手段に係る発明によれば、表裏の電磁遮蔽板６をパネル材２Ａの凹溝18内に折返して、該折返し板部６aの先端部６ｂを床面等への固定用の導電性支持部材70、76に電気的に接続させたから、上記折返し板部６aの先端部６ｂからの床面等へノイズ電流を流してノイズ電波の発生を防止できる。
【００４２】
第８の手段に係る発明によれば、側端部を接して配列させた複数のパネル材２Ａ相互の継目、或いはパネル材と縁部材との間の継目からの電磁波の洩れを防止することができる。
【００４３】
第９の手段に係る発明によれば、パネル材２Ａの表裏両面に有する電磁遮蔽板６を左右外方に延長して第1、第2係合帯板20、30を形成したから、構成が簡易で廉価に製造することができ、第１の手段に係る電磁シールドパーティションを低価格で提供することができる。
【００４４】
第10の手段に係る発明によれば、上記電磁遮蔽板6、6を、吸音性芯材10の両側に設けた表裏一対の遮音板8、8の外側に貼着したから、十分な遮音性能を確保できる。
【００４５】
第11の手段に係る発明によれば、パネル材下端面乃至上端面の凹溝18内面へ電磁遮蔽板６を折り返し、この折返し板部から第1係合帯板20、20或いは第２係合帯板30、30の何れかを突出させるとともに、上記凹溝18内部内部から長手方向への進退自在な押圧棒46を垂直方向へ突設したから、該押圧棒の突出長の調節により、パネル材２Ａ及びランナーのそれぞれから突出する第1、第2係合帯板20、30を確実に係合させることができる。
【００４６】
第12の手段に係る発明によれば、請求項11記載のパネルに使用する縁部材であって、底板両側から側板を突出してなる断面凹字形の導電性ランナーを有し、該ランナーの左右側板から、パネル側の係合帯板の先端部とは反対方向に屈曲した先端部を有する断面鉤形状の導電性係合帯板を突出したから、第11の手段に係るパネル材とともに使用することで電磁シールド効果を発揮できる。
【発明を実施するための最良の形態】
【００４７】
図１乃至図８は、本発明の第１の実施形態に係る電磁シールドパーティションを示している。
【００４８】
この電磁シールドパーティションは、表裏両面の全体に亘って電磁遮蔽面４を有し、これら電磁遮蔽面の一部を表裏両側に担持するパーティション形成用主要部材２…を継ぎ合わせ、かつこの継目を後述の係合帯板で接合することで一個の電磁シールドとして構成している。本実施形態では、側端面に接合して配置した複数のパネル材２Ａと、床側のランナーである縁部材２Ｂとがパーティション形成用主要部材である。又、図示例では、電磁シールドパーティションの天井側及び壁側の端面に、ランナー乃至固定部材として機能する天井側支持部材70及び壁側支持部材76を付設している。尚、上記表裏一対の電磁遮蔽面４，４は、電磁パーティションパーティションの周縁部分を除いて、相互に接触しないように設けられている。
【００４９】
各パネル材２Ａは、図２に示す如く表裏一対の遮音板8,8の対向内面左右両側部分の間に左右一対の端部材12、12を挟持させるとともに、これら両遮音板８と左右一対の端部材12、12とで形成される空所内に吸音性の芯材10を充填している。その空所の上下両開口は、図５に示す上閉塞板14を上記端部材12、12の各上端部間に、又図４に示す下閉塞板16を上記端部材12、12の各下端部間にそれぞれ横設することで閉塞している。これら端部材12及び上下閉塞板14、16は硬質ゴムで形成するとよい。又、上記遮音板8、8の各外面には表裏一対の電磁遮蔽板６、６を貼着しており、これら電磁遮蔽板６の外面を電磁遮蔽面４としている。
【００５０】
図示例では、図５及び図１に示す如く上記上閉塞板14の上面を上記遮音板8、8の上端面よりもやや下方に配置して、これら遮音板8、8の上端部分内面と上閉塞板14の上面とで、後述の天井側支持手段（ランナー）挿入用の凹溝18を形成している。上記表裏両側の電磁遮蔽板6、6は、上記遮音板８、８の上端面より上記凹溝18、18へ折り返すものとする。
【００５１】
又、隣接するパネル材２Ａのうち部屋の壁面に対向する端面においても、図６に示す如く、端部材12の側外面を遮音板8、8の側端面よりパネル材２Ａ内方寄りに位置させて、これら両遮音板側端部分の内面と端部材12側端面とで凹溝18を形成している。
【００５２】
尚、このパネル材相互の継目シールド構造、及び、パネル材と床側、天井側、及び壁側との接続箇所のシールド構造については、後でまとめて説明する。
【００５３】
縁部材２Ｂは、図４に示す如く断面凹字形のランナー62を有し、該ランナーの底板64に床面への取付け用の固定具66を付設している。該ランナーは導電性材料で形成されており、その表裏側板部の外面を電磁遮蔽面部分４ｂとしている。
【００５４】
天井側支持部材70は、図５に示す如く、下面開口のチャネル形状の導電性のランナーであって、その溝底板部分72を固定具66で天井へ付設しており、かつその側板部分74外面と既述電磁遮蔽板６の折返し板部６ａとの間に、上記パネル材２Ａ上端面の凹溝18内へ導電性のガスケット36を介して摺動自在に挿入しており、該ガスケットを介して上記折返し板部６aの先端部６ｂに電気的に接続するように設けている。又、上記記天井側支持部材70内にはガラスウールなどの吸音材38を充填している。
【００５５】
壁側支持部材76は、図６に示す如く室内側に開口するチャネル形状の導電性部材であって、その溝底板部分72を固定具66で壁面へ付設しており、かつその側板部分74外面と既述電磁遮蔽板６の折返し板部６ａとの間に、導電性ガスケット36を介して上記パネル材２Ａ…側端面の凹溝18内へ自在に挿入している。その他の構成は天井側補助部分70と同じである。
【００５６】
上記隣接する各パネル材２Ａ、２Ａ間の継目部分は、図２に示す如く横断面鉤形で導電性の第１、第２係合帯板20、30で電磁波に対してシールドされている。これら両係合帯板は、パネル材表裏両面の電磁遮蔽板６を左右方向外方へ延長するとともに、該延長板部分を断面鉤形に付形させたものであり、かつ第１係合帯板20は先端部22をパネル材の厚み方向外方へ、又、第２係合帯板30は先端部32をパネル材厚み方向内方へそれぞれ屈折させることで、対向位置にある第1、第2係合帯板20、30の両先端部の中側表面部分を、導電性弾性材料で形成したガスケット36を介して、弾性圧接可能に形成しており、該ガスケットを介して、各パネル材２Ａの表側或いは裏側の電磁遮蔽面部分相互を上記継目の全長に亘って電気的に接触させている。このガスケットは各係合帯板20、30の先端部32、22からのノイズの発生を阻止できるように、各帯板先端に当接させて設置することが望ましい。尚、上記ガスケットを省略して両先端部22、32を直接接触させても良い。尚、このガスケット36は、例えば図１に示す如く第1、第２係合帯板20、30の何れかの先端部の中側表面部分に予め取り付けておくと良い。又、各パネル部材２Ａの端部材12と上記第２係合帯板30の内折り先端部32とには、第１係合帯板20の外折れ先端部22の挿入用の嵌合溝28を形成している。更に上記第１、第２係合帯板20、30と両パネル材２Ａ、２Ａの端部材対向端面とで囲まれる空間にはグラスウールなどの吸音材38を充填すると良い。又、表側の係合帯板20、30と裏側の係合帯板20、30とは相互に電気的に接触しないように設けることが望ましく、そのためには上記空間への充填材を非導電性材料とすると良い。
【００５７】
図示したパネル材２Ａ、２Ａの継目部分では、その一方部材の表側電磁遮蔽面部分から第1係合帯板20を、又その裏側電磁遮蔽面から第２係合帯板30をそれぞれ突出し、これに対応して他方部材の表側電磁遮蔽面部分から第２係合帯板30を、その裏側電磁遮蔽面部分から第１係合帯板20をそれぞれ突出しており、これにより後述の如くパネル材２Ａの取り外しが容易となる。他方、図８に変形例として示す如く一方パネル材の両電磁遮蔽板からそれぞれ一対の第1係合帯板20,20を、他方パネル材の両電磁遮蔽板から一対の第２係合帯板30、30をそれぞれ延出させても良い。又、上記第１係合帯板20は、その基半部20aから、内方突出する段差部24を介して上記外折り先端部22付きの先半部20ｂをパネル材厚み方向内方へ陥没させることで、上記段差部24と外折り先端部22との間に、外方開口で継目方向に長い凹条溝26を形成している。第１、第２係合帯板20,30の各先端部を圧接させるためには、上記凹条溝26内にゴムなどで形成した弾性目地材40を嵌め込み、かつ該目地材と上記外折り先端部の中側表面部分との間に上記第２係合帯板30の内折り先端部32を圧入させれば良い。又、このとき第１、第２係合帯板20、30の各基半部20a外面はほぼ面一となるように形成するとよく、そのためには、図３に示す如く、外折り先端部22の外方突出巾ｂ及び内折り先端部32の内方突出巾ｃの和から両先端部の重なり部分の巾ｄを差し引いた長さが、又、段差部24の段差ａと一致するように設けると良い。
【００５８】
上記パネル材２Ａの下端部と縁部材２Ｂの上端部との間の継目部分は、図４に示す如く縦断面鉤形で導電性の第１、第２係合帯板20、30でシールドされている。
【００５９】
上記パネル材２Ａの下端部側では、遮音板８の表裏両面に貼着した電磁遮蔽板６を、各遮音板８下端面から該遮音板内面下端部側へ折り返しており、かつこれら折返し板部から下方へ先端部22を外方へ屈曲させた第1係合帯板20をそれぞれ突出している。又、上記折返し板部の間には、樋形状の固定板材42を取り付けるとともに、該固定板材の底壁44に押圧棒46を貫設しており、かつその貫通孔の孔縁と押圧棒46外面とにパネル材高さ調節用のねじを刻設することで上記押圧棒46が上下方向に進退自在に形成している。該押圧棒46の先端部には弾性摺動子48を付設しており、該弾性摺動子を断面凹字形のランナー62内へ嵌挿させている。上記電磁遮蔽板折返し板部分６ａの先端部６ｂからのノイズの発生を防止するため、上記固定板材42と押圧棒46と弾性摺動子48とは導電性のものとし、ノイズ電流が折返し板部分６ａの先端部６ｂから固定板材42、押圧棒46を介して床側に流れるように構成することが望ましい。この場合には、パーティションパネルの下端部側で、表裏両電磁遮蔽板６が電気的に接触することとなるが、パネル材相互の継目部分で両電磁遮蔽板が接触することと比べると、その影響は小さい。又上記固定板材42の底壁44下面と弾性摺動子48の上面との間には吸音材38を設ける。尚、上記電磁遮蔽板下端面外縁からは仕上げ用の巾木50を垂下している。
【００６０】
又、上記縁部材２Ｂの上端部側では、上記ランナー62の表裏側板部分68、68から先端部を内方へ屈曲させた第2係合帯板30を上方へ突出しており、該第２係合帯板の先端部をガスケット36を介して第１係合帯板20の先端部22に弾性圧接している。
【００６１】
これらパネル材２Ａ下端部と縁部材２Ｂ上端部との間の第１、第２係合帯板20、30は、上記ランナー62に対するパネル部材２Ａのスライドを容易とするため、継目方向への摺動自在に設けることが望ましい。好適な図示例では、上記第1、第２係合帯板20、30の先端部22、32が緩やかに湾曲してガスケット36を巻き込むように設けており、該構成によれば該ガスケットにおいて両係合帯板がほぼ点接触するので、図２に示す如く目地材40を介して両係合帯板20、30を面接触させた構造のものに比べて少ない摩擦抵抗でスライドさせることができる。もっとも後述の如く上記縁部材２Ｂに対して目地材を用いたシールド構造をとっても構わない。又、上記第１、第２係合帯板20、30は、図４の状態からパネル材２Ａを引き上げると、各係合帯板20、30が側外方へ弾性変形して係合が解除され、又、その引き上げ状態からパネル材２Ａを下げると、再び係合帯板が側外方へ変形して両帯板先端部が係合するように設けられている。尚、図示例と逆にパネル材２Ａ側から第２係合帯板30を垂下するとともに、ランナー62側から第１係合帯板20を起立しても良い。
【００６２】
上記構成において、図１の状態から、矢示の如く一つのパネル材２Ａを、縁部材２Ｂのランナー62に沿って他のパネル材２Ａの方へ移動させると、各部材の第１係合帯板20の外折れ先端部22に他方部材の第２係合帯板30の内折れ先端部32を強制乗越えさせることでスナップ感を生ずるので、両係合帯板が相互に係止していないのに係止したものと誤認することがない。この状態から、既述凹条溝26内へ弾性目地材40を嵌合させることで電磁シールドパーティションの継目部分のシールド作業が完了する。このとき例えば地震動などの振動により各パネル材２Ａを近づける方向へ外力が作用したときには、この外力には目地材40の弾性力で対向し、又各部材２Ａを引き離す方向に外力が作用するときには、両係合帯板20、30の先端部22、32が余計に圧接されることになるので、これら先端部に隙間を生じることはない。
【００６３】
次に図９は、パネル材２Ａ相互の継目部分の構成の変形例であり、各パネル材の端部材12、12の側端面12a、12a表裏各半部から互い違いに突起部52、52を突出することで、上記両端部材の間の空所を小さくし、該空所に充填する吸音材38の量を少なくすることで継目の接合作業を容易にしたものである。
【００６４】
図10は、パネル部材２Ａと縁部材２Ｂとの間の継目部分の構成の変形例であり、図２に類似した凹条溝26付きの第１係合帯板20と、第２係合帯板30とで継目部分の表裏両面をシールドしたものである。図示例では表裏両側の電磁遮蔽板６の折返し板部6a下端面からそれぞれ、先端部22を外側に屈折した第１係合帯板20と、先端部32を内側に屈折させた第２係合帯板30とを垂下し、又、ランナー62の表裏側板68、68からそれぞれ第２、第１係合帯板30、20を起立している。上記凹条溝26内には弾性目地材40を、又、上記各係合帯板の先端部22、32の間にはガスケット36を挟持させている。又、芯材10の下端面は、図４に示す下閉塞板16を省略して、樋形状の固定板部材42で閉塞しており、該固定板部材は、パネル材２Ａの遮音板８下面よりも下方に下半部を突出している。そして第１電磁遮蔽板６の折返し板部６ａ側から垂下した第１、第２係合板部20、30の基端部側は下内方へ折り返した屈曲板部82としており、又該屈曲板部の先端部（下端部）52ａと電磁遮蔽板の折返し板部分６ａの先端部６ｂとを、上記固定板部材42の側板部分に当接している。
【００６５】
図11は、図10の縁部材に代えて、断面鉤形の係合帯板を有しない、床側支持部材78を設けた例を示している。図10のものと同じ構成については同一符号を付することで説明を省略する。本実施形態では、電磁遮蔽板６の折返し板部６ａから導電性の巾木50を垂下し、かつ該巾木の下端部と、該巾木の内面側から突設したＬ字形の板ばね56との間に、断面凹字形の導電性ランナー62の側板部分68をスライド可能に挟持させており、上記折返し板部６ａの先端部から、巾木50及びランナー62を介してノイズ電流が床側へ流れるように設けたものである。巾木50の基端部側は下内方へ折り返した屈曲板部として、該屈曲板部の先端部52aを、固定板部材の側板部分に当接させるとともに、これら屈曲板部及び固定板材42の側板部分を貫通する係止孔58内に、上記巾木50の上部から内方突出させたクリップ54を係止することで巾木50をパネル材２Ａ側に固定している。
【００６６】
図12は、図５に示す天井側支持部材70の変形例であり、上閉塞板14の上面から遮音板８の上部内面部分に亘って貼着した導電板58の上端部から下内方へ板ばね56を鋭角的に突出するとともに、電磁遮蔽板６の上端側から上記板ばね56の内側へ折り返し、この折返し板部６ａの内側に、天井に固定した断面逆凹字形の導電性の天井側支持部材70を嵌合させたものであり、上記折返し板部６ａの先端部分から天井側支持部材70を介して天井側へノイズ電流を流すようにしたものである。尚、導電板60と天井側支持部材70との間には金属繊毛などのシールド充填材80を充填すると良い。
【図面の簡単な説明】
【００６７】
【図１】本発明の第1実施形態に係る電磁シールドパーティションの斜視図である。
【図２】図１の電磁シールドパーティションのパネル材相互の接続箇所の構成の断面図である。
【図３】図２の断面図の要部拡大図である。
【図４】図１の電磁シールドパーティションの床側への接続箇所の構成の断面図である。
【図５】図１の電磁シールドパーティションの天井側接合部の拡大断面図である。
【図６】図１の電磁シールドパーティションの壁側接合部の拡大断面図である。
【図７】図２の電磁シールドパーティションの継目部分の解離状態説明図である。
【図８】図２の接続部の構成の変形例である。
【図９】図２の接続部の構成の変形例である。
【図１０】図４の接続部の構成の変形例である。
【図１１】図１の電磁シールドパーティションの床側接続部の他の構成例である。
【図１２】図５の接続部の構成の変形例である。
【符号の説明】
【００６８】
２…パーティション形成用主要部材  ２Ａ…パネル材  ２Ｂ…縁部材 
４…電磁遮蔽面  ４ａ…電磁遮蔽面部分  ６…電磁遮蔽板  ６ａ…折返し板部
６ｂ…先端部  ８…遮音板  10…芯材  12…端部材  12a…左右側端面  
14…上閉塞板  16…下閉塞板  18…凹溝
20…第１係合帯板  20ａ…基半部  20ｂ…先半部  22…外折り先端部
24…段差部  26…凹条溝  28…嵌合溝
30…第２係合帯板  32…内折り先端部  36…ガスケット  38…吸音材  
40…目地材  42…固定板材  44…底壁  46…押圧棒  48…弾性摺動子
50…巾木  52…突起部  54…クリップ  56…板ばね  58…係止孔
60…導電板   62…ランナー  64…底板  66…固定具  68…側板
70…天井側支持部材  72…溝底板部分  74…側板部分  76…壁側支持部材
78…床側固定部材  80…シールド充填材  
【図１】
2006028806.tif 000003
【図２】
2006028806.tif 000004
【図３】
2006028806.tif 000005
【図４】
2006028806.tif 000006
【図５】
2006028806.tif 000007
【図６】
2006028806.tif 000008
【図７】
2006028806.tif 000009
【図８】
2006028806.tif 000010
【図９】
2006028806.tif 000011
【図１０】
2006028806.tif 000012
【図１１】
2006028806.tif 000013
【図１２】
2006028806.tif 000014